【手続補正書】
【提出日】平成17年9月30日(2005.9.30)
【手続補正１】
【補正対象書類名】明細書
【補正対象項目名】特許請求の範囲
【補正方法】変更
【補正の内容】
【特許請求の範囲】
【請求項１】
スペクトラム拡散技術が用いられ、チャネル構造がページングチャネルをサポートし、各ページングチャネルがページングメッセージを複数の遠隔局へ送信するためのものであり、前記チャネル構造が補助チャネルをサポートし、各補助チャネルが高速データトラフィックを伝送するためのものである電気通信システムにおいて、前記チャネル構造は、
前記複数の遠隔局のうちの１つの遠隔局と他の基地局との間で、音声トラフィック及びデータトラフィックを交換するものであって、前記遠隔局がトラフィック状態であるときにのみ用いることができ、かつ前記遠隔局が前記ページングチャネルを監視していないときにのみ、前記遠隔局が前記トラフィック状態である基本チャネルと、
前記遠隔局と前記他の基地局との間で信号情報を交換する制御チャネルであって、前記制御チャネルが制御フレームを備え、前記制御フレームの各々の長さが、トラフィックチャネルフレームの長さの何分の一かであり、前記制御チャネルは前記遠隔局が前記トラフィック状態であるときにのみ用いることができ、リバースリンクが遠隔局から基地局へのデータ送信に用いられ、フォワードリンクが基地局から遠隔局へのデータ送信に用いられ、前記リバースリンク方向の制御フレームが１つ以上のリバースリンクメッセージを備える、制御チャネルとを備え、
前記リバースリンクメッセージは、
前記フォワードリンクの基本チャネル及び補助チャネルで受信したフレームが、消去したものとして受信されたか否かを、前記基地局に知らせる消去指示ビット（ＥＩＢ）と、
最も高いチップ毎のエネルギと干渉との比で受信された前記遠隔局のアクティブセットにおけるパイロットを前記基地局に知らせ、かつ前記基地局について、そのチップ毎のエネルギと干渉との比が、前記最も高いチップ毎のエネルギと干渉との比で受信された前記パイロットの所定の電力レベル内である前記遠隔局のアクティブセットにおける全てのパイロットを識別する内部セル電力レベル測定値と、
異なる搬送波周波数で前記遠隔局により受信されたパイロットの変動強度を前記基地局に知らせる内部搬送波電力レベル測定値と、
補助チャネルに高速データトラフィックの伝送を要求するものであって、前記リバースリンクでの送信の準備ができているデータの量に関連付けられた待ち行列の大きさを含み、かつ前記遠隔局が送信のために使用できる残りの電力量と関連付けられた電力ヘッドルームを含むリバースリンクデータ要求と
を含むチャネル構造。
【請求項２】
リバースリンク更新メッセージをさらに含み、前記リバースリンク更新メッセージは、
前記消去指示ビットと、
前記内部セル電力レベル測定値と、
前記内部搬送波電力レベル測定値と、
前記リバースリンクデータ要求とを含む、請求項１に記載のチャネル構造。
【請求項３】
前記リバースリンク更新メッセージの長さが３０ビットである場合に、前記リバースリンク更新メッセージは、
前記基本チャネルのフォワードリンクで消去したものが受信されたか否かを示す単一のビットと、
前記補助チャネルのフォワードリンクで消去したものが受信されたか否かを示す単一のビットと、
前記内部セル電力測定値を示す８ビットと、
前記内部搬送波電力測定値を示す１２ビットと、
前記リバースリンクデータ要求と関連付けられたフィールドを表わす８ビットとを含む、請求項２に記載のチャネル構造。
【請求項４】
前記リバースリンクデータ要求と関連付けられた前記フィールドは、８ビットのリバースリンクデータ要求メッセージに含まれており、前記リバースリンクデータ要求メッセージは、
前記待ち行列の大きさを示す４ビットと、
前記電力ヘッドルームを示す４ビットとを含む、請求項３に記載のチャネル構造。
【請求項５】
スペクトラム拡散技術が用いられ、チャネル構造がページングチャネルをサポートし、各ページングチャネルがページングメッセージを複数の遠隔局へ送信するためのものであり、前記チャネル構造が補助チャネルをサポートし、各補助チャネルが高速データトラフィックを伝送するためのものである電気通信システムにおいて、前記チャネル構造は、
前記複数の遠隔局のうちの１つの遠隔局と他の基地局との間で音声トラフィック及びデータトラフィックを交換するものであって、前記遠隔局がトラフィック状態であるときにのみ用いることができ、かつ前記遠隔局が前記ページングチャネルを監視していないときにのみ前記遠隔局が前記トラフィック状態である基本チャネルと、
前記遠隔局と前記他の基地局との間で信号情報を交換するものであって、制御フレームを備え、前記制御フレームの各々の長さが、情報チャネルフレームの長さの何分の一かであり、前記遠隔局が前記トラフィック状態であるときにのみ用いることができ、フォワードリンク方向の前記制御フレームが１つ以上のフォワードリンクメッセージを含む制御チャネルとを備え、
前記フォワードリンクメッセージは、
前記基地局が、フォワードリンク補助チャネルを第１の期間に第１のデータレートで前記遠隔局に割当てることを前記遠隔局に知らせるフォワードリンクスケジューリング情報と、
前記基地局が、リバースリンク補助チャネルを特定の期間に特定のデータレートで前記遠隔局に割当てることを前記遠隔局に知らせるリバースリンクスケジューリング情報と、
前記遠隔局のアクティブパイロットセットから、どの基地局が高速データを補助チャネルで前記遠隔局へ送信し始めるかを前記遠隔局に知らせる補助チャネル基地局割当て情報と、
前記リバースリンクの基本チャネル及び補助シャネルで受信したフレームが、消去したものとして受信されたかを前記遠隔局に知らせる消去指示ビット（ＥＩＢ）と、
前記遠隔局が、情報のために前記基本チャネルを復調すべきか否かを示すプロセス基本チャネル指示
とを含む、チャネル構造。
【請求項６】
前記フォワードリンクスケジューリング情報が、１０ビットのフォワードリンクスケジュールメッセージに含まれている場合に、前記フォワードリンクスケジュールメッセージは、
前記フレームがフォワードリンクスケジュールメッセージであることを示す２ビットと、
前記補助チャネルの割当てられたフォワードリンクレートを示す４ビットと、
前記補助チャネルが、前記フォワードリンクレートを割当てられる期間を示す４ビットとを含む、請求項５に記載のチャネル構造。
【請求項７】
前記リバースリンクスケジューリング情報が、１８ビットのリバースリンクスケジュールメッセージに含まれている場合に、前記リバースリンクスケジュールメッセージは、
前記フレームがリバースリンクスケジュールメッセージであることを示す２ビットと、
前記補助チャネルの許可されたリバースリンクレートを示す４ビットと、
前記補助チャネルが、前記許可されたリバースリンクレートに対する期間を示すものであって、４ビットからなる各サブセットが単一の搬送波を表わす、１２ビットとを含む、請求項５に記載のチャネル構造。
【請求項８】
前記補助チャネル基地局割当て情報が、８ビットの基地局割当てメッセージに含まれている場合に、前記基地局割当てメッセージは、
前記フレームが基地局割当てメッセージであることを示す２ビットと、
ビットマップを含むものであって、前記ビットマップのｉ番目の位置の１つが、前記補助チャネルが該ｉ番目の基地局から送信されていることを示す、６ビットとを含む、請求項５に記載のチャネル構造。
【請求項９】
前記消去指示ビット及び前記プロセス基本チャネル指示が、５ビットのプロセス基本メッセージに含まれている場合に、前記プロセス基本メッセージは、
前記フレームがプロセス基本メッセージであることを示す２ビットと、
前記基本チャネルのリバースリンクで消去したものが受信されたか否かを示す単一のビットと、
前記補助チャネルのリバースリンクで消去したものが受信されたか否かを示す単一のビットと、
前記遠隔局が前記基本チャネルを復調すべきか否かを示す単一のビットとを含む、請求項５に記載のチャネル構造。
【請求項１０】
スペクトラム拡散技術が用いられ、チャネル構造がページングチャネルをサポートし、各ページングチャネルがページングメッセージを複数の遠隔局へ送信するためのものであり、前記チャネル構造は補助チャネルをサポートし、各補助チャネルが高速データトラフィックを伝送するためのものである電気通信システムにおいて、前記チャネル構造は、
前記複数の遠隔局のうちの１つの遠隔局と他の基地局との間で、音声トラフィック及びデータトラフィックを交換するものであって、前記遠隔局がトラフィック状態であるときにのみ用いることができ、かつ前記遠隔局が前記ページングチャネルを監視していないときにのみ前記遠隔局が前記トラフィック状態であるものであって、専用モード及び共用モードを含む２つのモードで作動させることができ、かつ前記共用モードである場合に、フォワードリンクが前記複数の遠隔局のうちの２つ以上の遠隔局と前記基地局との間の通信に用いられる、基本チャネルと、
前記遠隔局と前記他の基地局との間で信号情報を交換するものであって、前記遠隔局が前記トラフィック状態であるときにのみ用いることができ、前記複数の遠隔局の各遠隔局には、前記遠隔局が、前記共用モードで前記基本チャネルを復調すべきときを示す指示が送信される、制御チャネル
とを備える、チャネル構造。
【請求項１１】
前記共用モードの前記基本チャネルを復調すべきことを示す放送通信メッセージが前記制御チャネルで送信された場合に、前記共用モードの前記基本チャネルが、前記複数の遠隔局の全ての遠隔局によって復調される、請求項１０に記載のチャネル構造。
【請求項１２】
スペクトラム拡散技術が用いられ、チャネル構造がページングチャネルをサポートし、各ページングチャネルが、ページングメッセージを複数の遠隔局へ送信するためのものであり、前記チャネル構造が補助チャネルをサポートし、各補助チャネルが、高速データトラフィックを伝送するためのものである電気通信システムにおいて、前記チャネル構造は、
前記複数の遠隔局のうちの１つの遠隔局と他の基地局との間で、音声トラフィック及びデータトラフィックを交換するものであって、前記遠隔局がトラフィック状態であるときにのみ用いることができ、かつ前記遠隔局が前記ページングチャネルを監視していないときにのみ、前記遠隔局が前記トラフィック状態である、基本チャネルと、
前記遠隔局と前記他の基地局との間で信号情報を交換するものであって、前記遠隔局が前記トラフィック状態であるときにのみ用いることができ、前記遠隔局が前記トラフィック状態を出た場合、前記遠隔局及び前記基地局は、前のトラフィック状態セッションと関連付けられた情報が前記遠隔局及び前記基地局に記憶され、かつ前記遠隔局が前記基地局からチャネル割当てメッセージを受信した後に前記記憶された情報を用いて前記トラフィック状態に直ちに再び入ることができる保留モードに入る、制御チャネル
とを備える、チャネル構造。
【請求項１３】
前記記憶される情報は、無線リンクプロトコル（ＲＬＰ）状態と、トラフィックチャネル構成と、暗号変数とを含む、請求項１２に記載のチャネル構造。
【請求項１４】
スペクトラム拡散技術が用いられる電気通信システムにおいて、フォワードリンクチャネル構造が、
基本チャネルトラフィックを、少なくとも１つの基地局から遠隔局へ送信する基本チャネルと、
前記少なくとも１つの基地局のうちの１つから前記遠隔局へ高速データトラフィックを送信する少なくとも１つの補助チャネルとを備え、
前記基本チャネルは、専用モード及び共用モードを含む２つのモードで作動させることができ、前記基本チャネルが前記専用モードである場合に、前記基本チャネルは、前記遠隔局と前記基地局との間の通信のみに用いられ、前記基本チャネルが前記共用モードである場合には、前記基本チャネルのフォワードリンクは、前記複数の遠隔局のうちの２つ以上の遠隔局と前記基地局との間の通信に用いられ、前記複数の遠隔局の各遠隔局には、前記遠隔局が、共用モードで前記基本チャネルを復調すべきときを示す指示が制御チャネルで送信される、フォワードリンクチャネル構造。
【請求項１５】
前記共用モードの基本チャネルは、前記共用モードの基本チャネルを復調すべきことを示す放送メッセージが前記制御チャネルで送信された場合に、前記複数の遠隔局の全ての遠隔局によって復調される、請求項１４に記載のチャネル構造。